(57)【要約】【課題】  手に持って使用する棒状誘導灯をカラーコーンの円錐本体内に装着、位置固定する補助具を提供する。【解決手段】  手に持って使用する棒状誘導灯２をカラーコーン３の円錐本体31内に装着、位置固定する補助具であり、カラーコーンの円錐本体31の所定高さにおける水平断面円形に倣う周縁13を有し、この周縁13を断続的に切り欠いた残余として前記円錐本体31内面と周縁13との摩擦により係止する張り出し片11を形成する鍔状本体12からなり、この鍔状本体12の略中心に棒状誘導灯２の最大径より小さく、この棒状誘導灯２の最小径より大きな装着孔14を開口した誘導灯支持補助具１である。【選択図】  図３
2005113636.tif 000002
【特許請求の範囲】
【請求項１】
手に持って使用する棒状誘導灯をカラーコーンの円錐本体内に装着、位置固定する補助具であり、カラーコーンの円錐本体の所定高さにおける水平断面円形に倣う周縁を有し、該周縁を断続的に切り欠いた残余として前記円錐本体内面と周縁との摩擦により係止する張り出し片を形成する鍔状本体からなり、該鍔状本体の略中心に棒状誘導灯を差し込む装着孔を開口してなる誘導灯支持補助具。
【請求項２】
鍔状本体は、周方向に等分割した方向に張り出し片を複数形成してなる請求項１記載の誘導灯支持補助具。
【請求項３】
鍔状本体は、円錐本体内面と高い摩擦力を発揮する高摩擦部材を張り出し片の周縁に取り付けてなる請求項１記載の誘導灯支持補助具。
【請求項４】
鍔状本体は、装着孔から各張り出し片の周縁に向かって延びる補強リブを設けてなる請求項１記載の誘導灯支持補助具。
【請求項５】
鍔状本体は、装着孔以外に指を差し込んでカラーコーンの円錐本体内からの着脱作業を助ける作業孔を設けてなる請求項１記載の誘導灯支持補助具。
【請求項６】
装着孔は、棒状誘導灯外面に添う環状リブを設けてなる請求項１記載の誘導灯支持補助具。
【請求項７】
装着孔は、棒状誘導灯を構成する上下の分割単位に挟持される内周フランジを設けてなる請求項１記載の誘導灯支持補助具。
【発明の詳細な説明】
【技術分野】
【０００１】
本発明は、手に持って使用する棒状誘導灯をカラーコーンの円錐本体内に装着、位置固定する誘導灯支持補助具に関する。
【背景技術】
【０００２】
カラーコーンは、道路工事等において、工事区域の境界を明示するため、間隔を空けて前記境界に沿って設置される。通常のカラーコーンは、赤色又は橙色に着色された合成樹脂製の一体成形品で、内部が中空の円錐本体の下縁にフランジを形成して、安定した設置が可能になっている。前述の通り、全体が赤色又は橙色に着色されているため、昼間におけるカラーコーンの視認性は高いが、内部が中空のままのカラーコーンは、夜間になると円錐本体表面が野外の明かりに照らされるのみで、視認性が急激に低下する。このため、従来より、カラーコーン自体に照明する手段を取り付ける技術がいくつか提案されている(特許文献１及び２)。
【０００３】
特許文献１及び２は、同様な構成であり、いずれもカラーコーンの頂頭部に設けた孔に対して、長尺な棒状ライト(特許文献１)又は点灯表示装置部(特許文献２)を差し込んで、カラーコーンを内部から照明している。前記棒状ライトは、「そのままハンディタイプの誘導灯ライトとしても使用できる(特許文献１［0024］)」と述べていることから、近年普及し始めているLED誘導灯を意図しているものと考えられる。また、点灯表示装置は、上下に「発光部」を設けていることから、前記LED誘導灯と異なるものの、「発光ダイオード」により前記発光部を構成していることから、特許文献１同様、LED誘導灯を利用できるものと思われる(特許文献２［0006］)。
【０００４】
【特許文献１】登録実用新案公報第3036052号(５〜９頁、図１〜２)
【特許文献２】特開2001-248120号公報(２〜３頁、図１〜２)
【発明の開示】
【発明が解決しようとする課題】
【０００５】
LED誘導灯、ひいては手に持って使用する棒状誘導灯をカラーコーンに対して位置固定するには、上述の特許文献１又は２のような構造を有するカラーコーンを用いることが最も簡便である。しかし、特許文献１及び２の構成は、棒状誘導灯を位置固定するために、頂頭部に孔を設けた専用のカラーコーンが必要になり、汎用性に劣る問題がある。また、外部からカラーコーンに対して別体の棒状誘導灯を装着していることが容易に判別でき、棒状誘導灯は頂頭部の孔に差し込んでいるだけなので、盗難の虞れが否定できない。このため、更に盗難防止の何等かの対策が必要となり、カラーコーンを内部から照明するための構成にかかるコストが高くなる問題もある(特許文献１［0017］参照)。
【０００６】
カラーコーンは、簡素な構造であるために安価に製造でき、取り扱いも容易である等、工事現場等での使用に適した利点がある。これから、このカラーコーンの利点を損ねるように、照明のために特別又は複雑な構造を採用することは好ましくない。そこで、カラーコーンは従来の既製品を用いながら、照明の光源として棒状誘導灯をそのまま利用して前記カラーコーンを内部から照明する、すなわち手に持って使用する棒状誘導灯をカラーコーンの円錐本体内に装着、位置固定する補助具を開発するため、検討した。
【課題を解決するための手段】
【０００７】
検討の結果開発したものが、手に持って使用する棒状誘導灯をカラーコーンの円錐本体内に装着、位置固定する補助具であり、カラーコーンの円錐本体の所定高さにおける水平断面円形に倣う周縁を有し、この周縁を断続的に切り欠いた残余として前記円錐本体内面と周縁との摩擦により係止する張り出し片を形成する鍔状本体からなり、この鍔状本体の略中心に棒状誘導灯を差し込む装着孔を開口した誘導灯支持補助具(以下、補助具と略する)である。本発明は、既述したLED誘導灯のみならず、およそ手に持って使用する棒状誘導灯に利用できる。
【０００８】
本発明の補助具は、装着孔に対して上方から棒状誘導灯を差し込んで、この棒状誘導灯の特定位置に取り付ける「鍔」となる。これから、装着孔は、棒状誘導灯の最大径より小さく、この棒状誘導灯の最小径より大きな径であるとよい。こうして補助具を取り付けた棒状誘導灯は、カラーコーンの円錐本体内へ下方から差し込むと、各張り出し片が前記円錐本体内面に周縁が圧接し、この円錐本体内面と各張り出し片の周縁とが摩擦により係合し、補助具を取り付けた棒状誘導灯を円錐本体内に装着、位置固定する。このように、補助具は摩擦により円錐本体内に係止しているだけなので、いずれかの張り出し片をずらすだけで前記係止状態が解除され、容易に円錐本体内から取り外すことができる。
【０００９】
張り出し片は、装着孔を含む中心付近から半径方向に張り出した突片であり、切り欠いた間隔で周方向に断続的に形成されている。この張り出し片の周方向の間隔は任意でよいが、円錐本体内に補助具を安定して装着、位置固定しておくためには、円錐本体内面に圧接して緊張を受ける各張り出し片の前記緊張が装着孔を中心に均等に発生することが好ましい。これから、鍔状本体は、周方向に等分割した方向に張り出し片を複数形成するとよい。また、張り出し片の数があまり多くなると、鍔状本体が円形に近づき、円錐本体内から補助具を取り外しにくくなるため、前記周方向の分割数は２〜５程度が好ましい。すなわち、180度間隔で対向関係にある張り出し片を一対形成した鍔状本体から、周方向72度間隔で突出する５つの張り出し片を形成した鍔状本体までが適当である。
【００１０】
補助具を安定して円錐本体内に位置固定するには、各張り出し片の周縁をカラーコーンの円錐本体内面に圧接し、円錐本体内面と前記周縁との間に高い摩擦力を発生させる必要がある。まず、鍔状本体は、強く円錐本体内に押し込むことで上方に向かって凸に湾曲する変形をし、この変形に伴う復元力により、張り出し片の周縁を円錐本体内面に圧接できる構成がよい。また、円錐本体内面と高い摩擦力を発揮する高摩擦部材を張り出し片の周縁に取り付けるとよい。高摩擦部材は、カラーコーンの円錐本体の材料との関係で決定されるが、例えば張り出し片の周縁に着脱自在なゴムキャップを例示できる。
【００１１】
より好ましくは、鍔状本体は装着孔から各張り出し片の周縁に向かって延びる補強リブを設けるとよい。この補強リブは、各張り出し片と半径方向を一致させるとよい。これにより、鍔状本体を弾性のある樹脂一体成形品の板材として構成しながら、装着孔付近は剛性を与え、カラーコーンの円錐本体内面に圧接する張り出し片の周辺付近には弾性を与えることができる。そして、上述した押し込みによる鍔状本体の湾曲は、各補強リブ端からこの補強リブに対応する各張り出し片の周縁までの範囲で起こり、前記湾曲の復元力により各張り出し片の周縁を円錐本体内面に圧接できる。
【００１２】
このほか、補助具を容易に円錐本体内から取り外すため、鍔状本体は、装着孔以外に指を差し込んでカラーコーンの円錐本体内からの着脱作業を助ける作業孔を設けるとよい。作業孔に指を差し込んで鍔状本体を引っ張ることにより、張り出し片の円錐本体内面に対する摩擦力以上の負荷を鍔状本体に与え、張り出し片の係止状態を解除しやすくする。また、作業孔に指を差し込んで鍔状本体を若干持ち上げることにより、各張り出し片の周縁に円錐本体内面から遠ざけて、張り出し片の係止状態を解除しやすくできる。
【００１３】
装着孔は、鍔状本体の略中心に棒状誘導灯の最大径より小さく、この棒状誘導灯の最小径より大きいため、基本的には、上方から差し込んだ誘導灯を一定のところで係止し、鍔状本体は棒状誘導灯と一体になる。棒状誘導灯は、グリップが下方に向かってテーパ面を形成していたり、LEDを内蔵した発光部と前記グリップとの間に段差がある等、グリップの上部に最大径を、グリップは若干小さい径、通常最小径を有している。これから、装着孔はグリップの上部で係止し、鍔状本体は棒状誘導灯に一体となる。前記装着孔による係止が摩擦によるものであれば、装着孔に対して下方から差し込んだ誘導灯を鍔状本体と一体にすることもできる。
【００１４】
装着孔に差し込んだ棒状誘導灯の姿勢を保つには、棒状誘導灯外面に添う環状リブを装着孔の外周に設けるとよい。環状リブは、装着孔を囲むように設けることから、この環状リブの内径は装着孔の径以上であればよく、鍔状本体上面からの高さは自由に設定できる。また、装着孔に棒状誘導灯を構成する上下の分割単位に挟持される内周フランジを設けた補助具を用いても、棒状誘導灯の姿勢を保つことができる。前記補助具は、棒状誘導灯のグリップに形成される大径部を内周フランジに載せて棒状誘導灯の姿勢を安定させたり、前記グリップと発光部とで内周フランジを挟持することにより棒状誘導灯と緊密に一体化することができる。
【発明の効果】
【００１５】
本発明の補助具は、カラーコーンや棒状誘導灯自体になんら改造を施すことなく、カラーコーンの円錐本体内に棒状誘導灯を容易に装着させ、安定して位置固定させることができる。しかも、本発明の補助具は、簡素な構造であって製造コストが低廉であるほか、取り扱いも容易であり、誰でも簡単に利用することができる。こうして、本発明は、簡便かつ安価に内部に照明の光源を有するカラーコーンを提供する効果をもたらす。
【発明を実施するための最良の形態】
【００１６】
以下、本発明の実施形態について図を参照しながら説明する。図１は周方向90度間隔で突出する４つの張り出し片11を形成した鍔状本体12からなる補助具１を表す斜視図、図２は同補助具１を用いて棒状誘導灯２をカラーコーン３に装着する関係を表す斜視図、図３は同補助具１を用いて棒状誘導灯２をカラーコーン３に装着した状態を表す斜視図であり、図４は同補助具１を用いて棒状誘導灯２をカラーコーン３に装着した状態を表す部分断面斜視図である。
【００１７】
本例の補助具１は、図１に見られるように、カラーコーン３の円錐本体31(後掲図２以下参照)の所定高さｈにおける水平断面円形に倣う周縁13を90度間隔で円弧状に切り欠いて四方に突出した張り出し片11を形成した鍔状本体12の略中心に装着孔14を開口した構造で、熱可塑性樹脂を用いて一体に成形している。これにより、鍔状本体12は全体として一定の弾性を有することになり、図２〜図４に見られるように、カラーコーン３の円錐本体31に押し込んだ際に変形した鍔状本体12の復元力により、各張り出し片11の周縁13を円錐本体31内面に圧接させ、摩擦により位置固定できる。
【００１８】
本例の鍔状本体12は、略中心に開口した装着孔14に対し、内周フランジ15及び環状リブ16を設けている。本例の装着孔14は、内周フランジ15の内径を、棒状誘導灯２のグリップ21上部に有する大径部22より小さく、グリップ21に略等しい径にしている。また、前記環状リブ16から各張り出し片11の周縁13に向かって補強リブ17を延設し、張り出し片11の周縁13付近のみが弾性を発揮し、装着孔14周辺では剛性を発揮できるようにしている。
【００１９】
このほか、本例の補助具１は、装着孔14以外に指を差し込んでカラーコーン３の円錐本体31内からの着脱作業を助ける作業孔18を、上記装着孔14近傍に設けている。カラーコーン３の円錐本体31内へ装着した補助具１は、前記鍔状本体12に設けた作業孔18に指をかけて撓ませることで、張り出し片11の周縁13による円錐本体31内面への圧接を解除し、棒状誘導灯２と一体にした補助具１をカラーコーン３から容易に取り外せるようにしている。
【００２０】
本例の補助具１は、図２に見られるように、まず棒状誘導灯２のグリップ21を装着孔14上方から、内周フランジ15に前記グリップ21上部の大径部22を載せるまで差し込むことにより、鍔を設けた外観の棒状誘導灯２を構成する。棒状誘導灯２と補助具１とは、前記内周フランジ15を発光部23及びグリップ21で挟持して、一体にしてもよい。そして、補助具１を装着した棒状誘導灯２を、カラーコーン３の円錐本体31内へ下方から差し込み、補助具１を押し込むことで、各張り出し片11の周縁13を円錐本体31内面に圧接し、図３及び図４に見られるように、補助具１を介した棒状誘導灯２の円錐本体31に対する装着、位置固定を終える。棒状誘導灯２は、カラーコーン３に対する装着前に点灯してもよいし、装着後、裏返したカラーコーン３の円錐本体31内へ手を差し込んで点灯してもよい。
【００２１】
こうして補助具１を介してカラーコーン３の円錐本体31内に装着した棒状誘導灯２は、図３に見られるように、外部から視認できない。これにより、例えば棒状誘導灯２を点灯させない昼間は棒状誘導灯２の存在が分からないので、棒状誘導灯２をカラーコーン３に装着したままにしても、盗難されにくい。カラーコーン３は、夜間に棒状誘導灯２を点灯させた場合、棒状誘導灯２の発光部23から円錐本体31内面までに棒状誘導灯２からの光が広がり、およそ円錐本体31全体から略均一に照明できる。このカラーコーン３の照明は、棒状誘導灯の点灯色に影響を受けるが、通常カラーコーン３は赤色又は橙色なので、およそ暖色系の発光色となる。
【００２２】
ここで、補助具１を用いてカラーコーン３の円錐本体31内に装着した棒状誘導灯２は、図４に見られるように、補助具１を介して宙吊りになることが望ましい。これは、棒状誘導灯２の上端に空間を残し、かつ棒状誘導灯２の下端がカラーコーン３の底面から突出してカラーコーン３の設置安定性を損ねない高さに、棒状誘導灯２を位置固定することを意味している。これから、前記周縁13の径を決定する円錐本体31の水平断面円形を決定する所定高さｈは、円錐本体31内の高さをＨ、補助具１を取り付けた棒状誘導灯２の先端から補助具１までの長さをＬt、補助具１から棒状誘導灯２の下端までの長さをＬbとした場合、ｈ＞Ｌbであり、Ｈ−ｈ＞Ｌtとなるように設定する。
【００２３】
図５〜図８は本発明の補助具の別例を表す図１相当斜視図で、図５は180度間隔で対向関係にある張り出し片41を一対形成した鍔状本体42からなる補助具４、図６は120度間隔で３方向に突出して張り出し片51を形成した鍔状本体52からなる補助具５、図７は72度間隔で５方向に突出して張り出し片61を形成した鍔状本体62からなる補助具６であり、図８は張り出し片11の周縁13にゴムキャップを取り付けた補助具１である。
【００２４】
張り出し片は、棒状誘導灯に装着した補助具をカラーコーンの円錐本体内へ押し込んだ際、張り出し片の周縁を前記円錐本体内面に圧接できればよい。これから、本発明の補助具４,５,６は、180度間隔で対向関係にある張り出し片41を一対形成した鍔状本体42からなる構成(図５)、120度間隔で３方向に突出して張り出し片51を形成した鍔状本体52からなる構成(図６)、又は72度間隔で５方向に突出して張り出し片61を形成した鍔状本体62からなる構成(図７)にすることができる。
【００２５】
ここで、上記図５〜図７に例示する各補助具４,５,６は、それぞれ内周フランジ47,57,67を設けた装着孔43,53,63の環状リブ44,54,64から張り出し片41,51,61の周縁45,55,65に向けて補強リブ46,56,66を延設し、各張り出し片41,51,61は周縁45,55,65付近のみが弾性を発揮するようにしている。また、図５〜図７に例示する各補助具４,５,６は、図１以下に示した補助具１と異なり、いずれも作業孔を設けていないが、これは対向関係に一対の張り出し片41,41を形成した補助具４(図５)では別途作業孔を設ける必要がなく、また120度間隔又は72度間隔で張り出し片51,61を形成した補助具５,６では鍔状本体52,62に適度な作業孔を設ける余剰(スペース)がなく、各張り出し片41,51,61を形成する切欠で十分作業孔の代用が図れることによる。
【００２６】
本発明の補助具は、各張り出し片の周縁45,55,65をカラーコーン３の円錐本体内面に圧接するだけで得られる摩擦により、棒状誘導灯の重量に対抗して、前記棒状誘導灯をカラーコーンに装着、位置固定する。しかし、カラーコーンが外部から衝撃を受けると、やはり棒状誘導灯が落下する可能性がある。そこで、図８に見られるように、張り出し片11の周縁13にゴムキャップ19を着脱自在に取り付け、円錐本体31に対する摩擦力を高めるとよい。このゴムキャップ19は、先鋭となる張り出し片の周縁13が、例えばコンクリートとの衝突により欠落することを防止する働きも有する。
【図面の簡単な説明】
【００２７】
【図１】周方向90度間隔で突出する４つの張り出し片を形成した鍔状本体からなる補助具を表す斜視図である。
【図２】同補助具を用いて棒状誘導灯をカラーコーンに装着する関係を表す斜視図である。
【図３】同補助具を用いて棒状誘導灯をカラーコーンに装着した状態を表す斜視図である。
【図４】同補助具を用いて棒状誘導灯をカラーコーンに装着した状態を表す部分断面斜視図である。
【図５】180度間隔で対向関係にある張り出し片を一対形成した鍔状本体からなる補助具を表す図１相当斜視図である。
【図６】120度間隔で３方向に突出して張り出し片を形成した鍔状本体からなる補助具を表す図１相当斜視図である。
【図７】72度間隔で５方向に突出して張り出し片を形成した鍔状本体からなる補助具を表す図１相当斜視図である。
【図８】張り出し片の周縁にゴムキャップを取り付けた補助具を表す図１相当斜視図である。
【符号の説明】
【００２８】
１  補助具
11  張り出し片
12  鍔状本体
13  周縁
14  装着孔
15  内周フランジ
16  環状リブ
17  補強リブ
18  作業孔
19  ゴムキャップ
２  棒状誘導灯
21  グリップ
22  大径部
23  発光部
３  カラーコーン
31  円錐本体
【図１】
2005113636.tif 000003
【図２】
2005113636.tif 000004
【図３】
2005113636.tif 000005
【図４】
2005113636.tif 000006
【図５】
2005113636.tif 000007
【図６】
2005113636.tif 000008
【図７】
2005113636.tif 000009
【図８】
2005113636.tif 000010